(57)【要約】【課題】測色センサからのホワイトバランス制御信号が使用できない場合の撮影においても、シャッターチャンスを逃すことなく、かつ当該撮影により得られた画像を判別することができるようにする。【解決手段】測色センサ２５からのデータを用いたホワイトバランス調整のための第１のホワイトバランス制御信号が使用できないと判断されたときに、ホワイトバランス調整手段２３により、少なくとも、撮影レンズ１１を通して画像センサ１３から得たデータを用いたホワイトバランス調整のための第２のホワイトバランス制御信号を用いてホワイトバランス調整を行ない、撮影画像とともに第２のホワイトバランス制御信号のみでホワイトバランス調整を行なったことを前記撮影画像と対応付けて記録手段２０に記録するとともに、通知手段２７により撮影者にその旨を通知するようにする。【選択図】        図１
2004193900.tif 000002
【特許請求の範囲】
【請求項１】
撮像素子以外の測色センサからのデータを用いたホワイトバランス調整のための第１のホワイトバランス制御信号と、撮影レンズを通して撮像素子から得たデータを用いたホワイトバランス調整のための第２のホワイトバランス制御信号とを含み、前記第１のホワイトバランス制御信号が使用できるか否かを判断する判断手段と、撮影した画像を記録する記録手段と、前記第１のホワイトバランス制御信号及び前記第２のホワイトバランス制御信号の両方のホワイトバランス制御信号に基づくか、前記第１のホワイトバランス制御信号ないし前記第２のホワイトバランス制御信号のどちらか一方のホワイトバランス制御信号に基づくかにより、撮影のためのホワイトバランス調整を行なうホワイトバランス調整手段と、ホワイトバランスの状態を撮影者に通知する通知手段とを有し、
前記判断手段で前記第１のホワイトバランス制御信号が使用できないと判断したときは、前記ホワイトバランス調整手段により、少なくとも前記第２のホワイトバランス制御信号を用いてホワイトバランス調整を行ない、撮影画像と一緒に前記第２のホワイトバランス制御信号のみでホワイトバランス調整を行なったことを前記撮影画像と対応付けて前記記録手段に記録するとともに、前記通知手段により撮影者にその旨を通知することを特徴とする撮像装置。
【請求項２】
前記第２のホワイトバランス制御信号のみで前記ホワイトバランス調整を行なったときに、前記ホワイトバランス調整時の調整値を前記撮影画像と対応付けて前記記録手段に記録することを特徴とする請求項１に記載の撮像装置。
【発明の詳細な説明】
【０００１】
【発明の属する技術分野】
本発明は、静止画像を記録する撮像装置に関し、特に、ホワイトバランス調整機能を有する撮像装置に関するものである。
【０００２】
【従来の技術】
従来より、この種の撮像装置としては、ＣＣＤ等の固体撮像素子により被写体像を取り込み、静止画像信号として記録媒体上に記録する電子スチルカメラが知られているが、以下、本明細書においては、撮像装置として電子スチルカメラを例にとって説明する。
【０００３】
人間の眼には、照射光が変化しても白い被写体は白に見えるという順応性がある。これに対して、電子スチルカメラでは、被写体周辺の照射光の色温度を測定し、これに基づいて画像信号に対してホワイトバランス調整を行なってはじめて白い被写体が白に見える（記録再生される）のである。
【０００４】
従来の電子スチルカメラのオートホワイトバランス方式としては、外測センサ方式、ＴＴＬ（Ｔｈｒｏｕｇｈ  Ｔｈｅ  Ｌｅｎｓ）方式とハイブリッド方式がある。外測センサ方式は外光の色を測定して得られるデータを用いてホワイトバランス調整を行なうものであり、ＴＴＬ方式は画像センサの出力信号から外光の色を算出し、そのデータを用いてホワイトバランスの調整を行なうものである。また、ハイブリッド方式は外測センサ方式とＴＴＬ方式を両方用いた方式がある。
【０００５】
このようなハイブリッド方式を用いたホワイトバランス調整を行なうものとして、本出願人による特開平５−１４５９３１号公報等が知られている。また、特願２００１−２９１５７４等では、外光の色を測定する測色センサと被写体との距離が近いときに被写体の色に影響されたり、または手などの陰に隠れたときに、ホワイトバランス調整が誤作動してしまったりするのを防ぐことを目的に、測色センサから得られるホワイトバランス調整のための測色データを使用するかどうかをカメラの姿勢に応じて決定するものが提案されている。また、特許２６９４６２０号公報では、ホワイトバランス調整が良好にできがたい状況のときなどには、撮影警告信号を発して注意を喚起する更に、記憶手段に記憶してあるホワイトバランス制御電圧によってホワイトバランス調整を行なうことができるものが提案されている。
【０００６】
【特許文献１】
特開平５−１４５９３１号公報
【特許文献２】
特許第２６９４６２０号明細書
【特許文献３】
特開平１１−２６２０２９号公報
【０００７】
【発明が解決しようとする課題】
しかしながら、前記の特願２００１−２９１５７４等では、測色センサから得られるホワイトバランス調整のための測色データを使用するかどうかをカメラの姿勢に応じて決定するもので、測色センサが使えなかったことを、撮影後に撮像データから知ることができず、例えば、測色センサが上面側に位置している状態で撮影したものと、測色センサが陰になるような状態で撮影したもので色合いが違っていても原因が分からないと言ったことになる。
【０００８】
また、特許２６９４６２０号公報では、ホワイトバランス調整が良好にできがたい状況のときなどには、撮影警告信号を発して注意を喚起する。更に、記憶手段に記憶してあるホワイトバランス制御電圧によってホワイトバランス調整を行なうことができるようにしているが、警告を行なうことで撮影者にそのときは、知らせることができるが、撮影した画像データについては特に記載がなく、撮影後にその画像が、記憶手段に記憶してあるホワイトバランス制御電圧によってホワイトバランス調整が行なわれたものであることが分からない。また、例えばレリーズしようとしたときに警告がなされてしまい、撮影動作がストップするような場合には、シャッターチャンスを逃してしまうことになる。
【０００９】
本発明は上述の問題点にかんがみてなされたもので、測色センサからのホワイトバランス制御信号が使用できない場合の撮影においても、シャッターチャンスを逃すことなく、かつ当該撮影により得られた画像を判別することができるようにすることを目的とする。
【００１０】
【課題を解決するための手段】
前記目的を達成するために、請求項１に記載の撮像装置は、撮像素子以外の測色センサからのデータを用いたホワイトバランス調整のための第１のホワイトバランス制御信号と、撮影レンズを通して撮像素子から得たデータを用いたホワイトバランス調整のための第２のホワイトバランス制御信号とを含み、前記第１のホワイトバランス制御信号が使用できるか否かを判断する判断手段と、撮影した画像を記録する記録手段と、前記第１のホワイトバランス制御信号及び前記第２のホワイトバランス制御信号の両方のホワイトバランス制御信号に基づくか、前記第１のホワイトバランス制御信号ないし前記第２のホワイトバランス制御信号のどちらか一方のホワイトバランス制御信号に基づくかにより、撮影のためのホワイトバランス調整を行なうホワイトバランス調整手段と、ホワイトバランスの状態を撮影者に通知する通知手段とを有し、前記判断手段で前記第１のホワイトバランス制御信号が使用できないと判断したときは、前記ホワイトバランス調整手段により、少なくとも前記第２のホワイトバランス制御信号を用いてホワイトバランス調整を行ない、撮影画像と一緒に前記第２のホワイトバランス制御信号のみでホワイトバランス調整を行なったことを前記撮影画像と対応付けて前記記録手段に記録するとともに、前記通知手段により撮影者にその旨を通知することを特徴とするものである。
【００１１】
上記構成により、前記第１のホワイトバランス制御信号が使用できないときに、シャッターチャンスを逃すことを防止するとともに、撮影された画像が前記第２のホワイトバランス制御信号のみでホワイトバランスが調整されたものであることを確認することができ、その後コンピューター等での画像処理を行なう際に役立てることができるようになる。
【００１２】
また、請求項２に記載の撮像装置は、前記第２のホワイトバランス制御信号のみで前記ホワイトバランス調整を行なったときに、前記ホワイトバランス調整時の調整値を前記撮影画像と対応付けて前記記録手段に記録することを特徴とするものである。
【００１３】
上記構成により、前記第１のホワイトバランス制御信号が使用できないときに、撮影された画像が前記第２のホワイトバランス制御信号のみでホワイトバランスが調整されたものであることを確認できると同時に、ホワイトバランス調整値まで記憶してあることで、その後コンピューター等での画像処理を行なう際に役立てることができるようになる。
【００１４】
【発明の実施の形態】
次に、添付図面を参照しながら本発明の撮像装置の実施形態について説明する。
【００１５】
（第１の実施形態）
図１は、本発明の実施形態における撮像装置の概略構成ブロック図であり、図２は、本発明の実施形態における撮像装置の外観図である。
図１，図２に示すように、一般的なカメラ１においては、測色センサ２５への光の入射部となる拡散板３１は、カメラ１の前側上部位置に前方（被写体側）を向いた状態で設けられており、測光センサは撮影レンズ１１を介して入射した光をカメラ１内部で分割して測光するようになっている。
【００１６】
次に、カメラ１のホワイトバランス調整回路の構成を図１を用いて説明する。被写体からの光線Ｌは、撮影レンズ１１及び絞り１２を介して画像センサ１３で受光される。画像センサ１３は、受けた光を電気信号に変換する素子であり、ＣＣＤ（電荷転送デバイス）やＭＯＳデバイス等の固体撮像素子である。前処理回路１４は、画像センサ１３の出力ノイズ除去のためのＣＤＳ回路やＡ／Ｄ変換前に行なう非線形増幅回路を備えている。Ａ／Ｄ変換器１５は、前処理回路１４からのアナログ出力をデジタル信号化するものであり、デジタル変換された信号は、画像処理回路１６に導かれる。
【００１７】
そして、画像処理回路１６で輪郭補償、ガンマ補正等の画像前処理が行なわれてメモリ制御回路１７に出力される。また、画像処理回路１６では、ホワイトバランスを行なうため本発明の第２のホワイトバランス制御信号であるホワイトバランス制御信号が生成され、この制御信号はホワイトバランス調整手段でもある制御装置２１へ送信される。
【００１８】
制御装置２１内には、ホワイトバランス調整回路２３があり後述する測色センサ２５からのホワイトバランス制御信号とを合わせて、最終のホワイトバランス調整値を算出し、再度画像処理回路１６へ送信され画像前処理が行なわれる。メモリ制御回路１７は、画像処理回路１６で生成されたホワイトバランス制御信号などを記憶手段である内部記憶装置２０へ記録するとともに、画像処理回路１６で生成された画像信号をインターフェイス回路１８を経由してメモリカードなどの外部記憶装置１９に記憶する。
【００１９】
絞り１２は、被写体の輝度を測定する測光センサ２２からの出力により制御装置２１によって制御されている。この図で測光センサ２２は撮影レンズ１１の光軸とは別個に設けられたものを示しているが、これと同軸に形成されたいわゆるＴＴＬ（スルーザレンズ）方式によるものを使用しても良い。
【００２０】
次に、第１のホワイトバランス制御信号検出用の測色センサ２５について以下に述べる。測色センサ２５では、測色センサ２５周辺の光が拡散板３１を通してＲ受光素子３２Ｒ、Ｇ受光素子３２Ｇ、Ｂ受光素子３２Ｂに入射し、それぞれ入射光の赤成分（Ｒｂ）、緑成分（Ｇｂ）、青成分（Ｂｂ）を出力する。これらの色成分信号は、それぞれ対数圧縮回路３３で対数圧縮され、ｌｏｇＲｂ，ｌｏｇＧｂ，ｌｏｇＢｂとなって出力される。次いで、減算回路３４，３５でｌｏｇ（Ｒｂ／Ｇｂ），ｌｏｇ（Ｂｂ／Ｇｂ）に変換され、伸長回路３６にてＲｂ／Ｇｂ，Ｂｂ／Ｇｂに逆ｌｏｇ変換される。その後、電流電圧変換回路３８を介して、Ａ／Ｄ変換器２４でデジタル変換されて制御部２１へと出力される。そして、制御装置２１で前記第２のホワイトバランス制御信号と、合わせてホワイトバランス調整回路２３でホワイトバランスの調整値を決めるように構成されている。
【００２１】
一方、本実施形態では対数圧縮されたｌｏｇＧｂ（緑成分輝度換算値Ｅｖ）は、単独でも取り出されて温度補償回路３７に送られ、Ａ／Ｄ変換器２４でデジタル変換されて制御装置２１に出力され、測色センサ周辺の輝度情報が得られる。また、制御部２１では、測光センサ２２の出力から被写体輝度情報が得られる。制御装置２１では、前記測色センサ２５周辺の輝度情報と前記被写体輝度情報から、被写体輝度に対して測色センサ２５周辺の輝度がどの程度なのか比較が行なわれる。ＳＷ１は撮影準備スイッチ、ＳＷ２は撮影スイッチである。また、姿勢検出手段２６は、カメラ１の姿勢を検出するものである。この姿勢検出手段２６としては、本出願人による特願平（ＦｉｌｅＮｏ、４２０４０１０）号公報で公知のカメラ１の姿勢検出手段が使用されている。表示装置２７は、撮影した画像を表示したり、カメラ１の操作補助のための表示を行なったりするものである。
【００２２】
以上のように構成されカメラ１のホワイトバランス調整動作について、カメラ１の姿勢によって本発明の第１のホワイトバランス制御信号を使用するか否か判断する場合について、以下に説明する。
図３は、第１の実施形態における撮像装置のホワイトバランス制御のフローチャートである。
【００２３】
まず、ステップＳ１０１では、撮影開始動作であるカメラ１のレリーズボタン（不図示）が押され撮影準備スイッチであるＳＷ１がＯＮであるか否かを判断する。この判断の結果、ＳＷ１がＯＮであると判断された場合には、ステップＳ１０２へ進む。一方、ステップＳ１０１の判断の結果、ＳＷ１がＯＦＦであると判断された場合には、ステップＳ１０１で待機する。
【００２４】
続いて、ステップＳ１０２では、姿勢検出手段２６によりカメラ１の姿勢の検出を行ない、ステップＳ１０３に進む。
【００２５】
続いて、ステップＳ１０３では、測色センサ２５の位置が上であるか否かを判断する。この判断の結果、測色センサ２５が上であると判断された場合には、ステップＳ１０４に進む。ここで、ステップＳ１０２と、ステップＳ１０３の判断とが本発明における第１のホワイトバランス制御信号が使用できるか否かを判断する判断手段であり、前記第１のホワイトバランス制御信号が使用できると判断した場合にステップＳ１０４に進むこととなる。一方、ステップＳ１０３の判断の結果、測色センサ２５の位置が上でないと判断された場合は、ステップＳ１１０に進む。この場合は、前記第１のホワイトバランス制御信号が使用できないと判断したことになる。
【００２６】
続いて、ステップＳ１０４では、測色センサ２５が手などの陰になっていないので、測色センサ２５で得られた第１のホワイトバランス制御信号と、画像センサ１３の出力から得たホワイトバランス制御信号の両方を使用し、さらに、ステップＳ１０５では、ステップＳ１０４で得られたホワイトバランス制御信号を使用して、ホワイトバランスの調整値を決めて、ステップＳ１０６に進む。
【００２７】
続いて、ステップＳ１０６では、撮影開始スイッチＳＷ２がＯＮであるか否かを判断する。この判断の結果、スイッチＳＷ２がＯＮであると判断された場合には、ステップＳ１０７に進んで撮影を行なって得られた画像データを取り込み、ステップＳ１０８に進む。一方、撮影開始スイッチＳＷ２がＯＮでないと判断された場合には、再度ステップＳ１０１に戻る。
【００２８】
続いて、ステップＳ１０８では、ステップＳ１０５で設定されたホワイトバランス調整値に基づいてホワイトバランス調整及びその他の画像処理が行なわれ、さらに、ステップＳ１０９では、ホワイトバランス調整等の画像処理が行なわれた画像データを外部記録装置１９に記録する。その後、処理を終了する。
【００２９】
一方、ステップＳ１１０では、ステップＳ１０３で測色センサ２５が手などの陰になっていると判断されたため、画像センサ１３の出力から得られた第２のホワイトバランス制御信号を使用し、続いて、ステップＳ１１１では、ステップＳ１１０で得られたホワイトバランス制御信号を使用して、ホワイトバランスの調整値を決め、ステップＳ１１２に進む。
【００３０】
続いて、ステップＳ１１２では、撮影開始スイッチＳＷ２がＯＮであるか否かを判断する。この判断の結果、ＯＮであると判断された場合には、ステップＳ１１３に進んで撮影を行なって得られた画像データを取り込み、ステップＳ１１４に進む。一方、ステップＳ１１２の判断の結果、撮影開始スイッチＳＷ２がＯＦＦであると判断された場合には、再度ステップＳ１０１に戻る。
【００３１】
続いて、ステップＳ１１４では、ステップＳ１１１で設定されたホワイトバランス調整値に基づいてホワイトバランス調整及びその他の画像処理が行なわれ、さらに、ステップＳ１１５では、ホワイトバランス調整等の画像処理が行なわれた画像データを外部記録装置１９に記録し、ステップＳ１１６に進む。
【００３２】
続いて、ステップＳ１１６では、ステップ１１５で記録した画像を第２のホワイトバランス制御信号のみを使用してホワイトバランス調整を行なったことを前記画像と一緒に記録すると同時に、ホワイトバランス調整値に用いた被写体の色温度も記録する。ここで、被写体の色温度を検出する手段としては、本出願人による特開平１１−２６２０２９号公報に記載されている方法などがある。本実施形態では、その説明を省略する。
【００３３】
続いて、ステップＳ１１７では、記録された画像が第２のホワイトバランス制御信号のみを使用してホワイトバランス調整されたことを表示装置２７に表示する。これにより、撮影者にその旨を通知することになる。
【００３４】
図５は、第２のホワイトバランス制御信号のみを使用してホワイトバランス調整が行なわれた場合の表示装置２７の表示例を示した図である。この第２のホワイトバランス制御信号のみを使用して、ホワイトバランス調整が行なわれたときは、図に示すようにホワイトバランスの状態を表示するためのＷ／Ｂ状態表示５１が点滅状態となる。その後に次の操作が行なわれると表示が消える。
【００３５】
（第２の実施形態）
以下に、本発明における第２の実施形態を説明する。カメラ１の構成については、前記第１の実施形態と同様のため、説明を省略する。
図４は、第２の実施形態における撮像装置のホワイトバランス制御のフローチャートである。図４は、測色センサが故障しているか否かによって、本発明の第１のホワイトバランス制御信号を使用するか否か判断する場合のフローチャートである。
【００３６】
まず、ステップＳ２０１では、撮影開始動作であるカメラ１のレリーズボタン（不図示）が押され撮影準備スイッチであるＳＷ１がＯＮであるか否かを判断する。この判断の結果、ＳＷ１がＯＮであると判断された場合には、ステップＳ２０２へ進む。一方、ステップＳ２０１の判断の結果、ＳＷ１がＯＦＦであると判断された場合には、ステップＳ２０１で待機する。
【００３７】
続いて、ステップＳ２０２では、測色センサ２５が故障していないかの検出を行なう。ステップＳ２０２における測色センサ２５の故障の検出は、測色センサ２５から制御装置２１に出力される信号において、その信号の有無や電圧の高低によって異常を検出する。
【００３８】
続いて、ステップＳ２０３では、測色センサ２５が故障しているか否かの判断を行なう。この判断の結果、測色センサ２５故障していないと判断された場合、ステップＳ２０４に進む。ここで、ステップＳ２０２と、ステップＳ２０３の判断とが本発明の第１のホワイトバランス制御信号が使用できるか否かを判断する判断手段であり、前記第１のホワイトバランス制御信号が使用できると判断した場合にステップＳ２０４に進むこととなる。一方、ステップＳ２０３の判断の結果、測色センサ２５が故障していたと判断された場合には、ステップＳ２１０に進む。この場合は、前記第１のホワイトバランス制御信号が使用できないと判断したことになる。
【００３９】
続いて、ステップＳ２０４では、測色センサ２５が故障していないので、測色センサ２５で得られた第１のホワイトバランス制御信号と、画像センサ１３の出力から得たホワイトバランス制御信号の両方を使用し、さらに、ステップＳ２０５では、ステップＳ２０４で得られたホワイトバランス制御信号を使用して、ホワイトバランスの調整値を決めて、ステップＳ２０６に進む。
【００４０】
続いて、ステップＳ２０６では、撮影開始スイッチＳＷ２がＯＮであるか否かを判断する。この判断の結果、スイッチＳＷ２がＯＮであると判断された場合には、ステップＳ２０７に進んで撮影が行なってえられた画像データを取り込み、ステップＳ２０８に進む。一方、撮影開始スイッチＳＷ２がＯＮでないと判断された場合には、再度ステップＳ２０１に戻る。
【００４１】
続いて、ステップＳ２０８では、ステップＳ２０５で設定されたホワイトバランス調整値に基づいてホワイトバランス調整及びその他の画像処理が行なわれ、さらに、ステップＳ２０９では、ホワイトバランス調整等の画像処理が行なわれた画像データを外部記録装置１９に記録する。その後、処理を終了する。
【００４２】
一方、ステップＳ２１０では、ステップＳ１０３で測色センサ２５故障していると判断されたため、画像センサ１３の出力から得られた第２のホワイトバランス制御信号を使用し、続いて、ステップＳ２１１では、ステップＳ２１０で得られたホワイトバランス制御信号を使用して、ホワイトバランスの調整値を決め、ステップＳ２１２に進む。
【００４３】
続いて、ステップＳ２１２では、撮影開始スイッチＳＷ２がＯＮであるか否かを判断する。この判断の結果、ＯＮであると判断された場合には、ステップＳ２１３に進んで撮影が行なわれ画像データが取り込み、ステップＳ１１４に進む。一方、ステップＳ２１２の判断の結果、撮影開始スイッチＳＷ２がＯＦＦであると判断された場合には、再度ステップＳ２０１に戻る。
【００４４】
続いて、ステップＳ２１４では、ステップＳ２１１で設定されたホワイトバランス調整値に基づいてホワイトバランス調整及びその他の画像処理が行なわれ、さらに、ステップＳ２１５では、ホワイトバランス調整等の画像処理が行なわれた画像データを外部記録装置１９に記録し、ステップＳ２１６に進む。
【００４５】
続いて、ステップＳ２１６では、ステップ２１５で記録した画像を第２のホワイトバランス制御信号のみを使用してホワイトバランス調整を行なったことを前記画像と一緒に記録すると同時に、ホワイトバランス調整値に用いた被写体の色温度も記録する。ここで、被写体の色温度を検出する手段としては、本出願人による特開平１１−２６２０２９号公報に記載されている方法などがある。本実施形態では、その説明を省略する。
【００４６】
続いて、ステップＳ２１７では、記録された画像が第２のホワイトバランス制御信号のみを使用してホワイトバランス調整されたことを表示装置２７に表示する。これにより、撮影者にその旨を通知することになる。
【００４７】
図５は、第２のホワイトバランス制御信号のみを使用してホワイトバランス調整が行なわれた場合の表示装置２７の表示例を示した図である。この第２のホワイトバランス制御信号のみを使用して、ホワイトバランス調整が行なわれたときは、図に示すようにホワイトバランスの状態を表示するためのＷ／Ｂ状態表示５１が点滅状態となる。その後に次の操作が行なわれると表示が消える。
【００４８】
本発明の実施形態においては、カメラ１の姿勢によって測色センサ２５が使えない場合や測色センサ２５が故障して使えない場合について述べたが、その他に測色センサ２５を使用しないほうが誤ったホワイトバランス調整を防げるような場合においても、本発明が有効である。
【００４９】
【発明の効果】
本発明の撮像装置によれば、第１のホワイトバランス制御信号が使用できないときや使用することで誤ったホワイトバランス調整になってしまうと判断された場合であっても、シャッターチャンスを逃すことなく、かつ、撮影された画像が第２のホワイトバランス制御信号のみでホワイトバランスが調整されたものであることを確認することができる。これにより、その後のコンピューター等での画像処理を行なう際に役立てることができる。
【００５０】
また、第１のホワイトバランス制御信号が使用できないときや使用することで誤ったホワイトバランス調整になってしまうと判断された場合であっても、撮影された画像が第２のホワイトバランス制御信号のみでホワイトバランスが調整されたものであることを確認できると同時に、ホワイトバランス調整値まで記憶してあることで、その後のコンピューター等での画像処理を行なう際に役立てることができる。
【図面の簡単な説明】
【図１】本発明の実施形態における撮像装置の概略構成ブロック図である。
【図２】本発明の実施形態における撮像装置の外観図である。
【図３】第１の実施形態における撮像装置のホワイトバランス制御のフローチャートである。
【図４】本発明の第２の実施形態に係るホワイトバランス制御のシーケンスを示すフローチャートである。
【図５】第２の実施形態における撮像装置のホワイトバランス制御のフローチャートである。
【符号の説明】
１１  撮影レンズ
１２  絞り
１３  画像センサ
１４  前処理回路
１５、２４  Ａ／Ｄコンバータ
１６  画像処理回路
１７  メモリ制御回路
１８  Ｉ／Ｆ回路
１９  外部記憶装置
２０  内部記憶装置
２１  制御装置
２２  測光センサ
２３  ホワイトバランス調整回路
２５  測色センサ
２６  姿勢検出手段
２７  表示装置
３１  拡散板
３２Ｒ  Ｒ受光素子
３２Ｇ  Ｇ受光素子
３２Ｂ  Ｂ受光素子
３３  対数圧縮回路
３４、３５  減算回路
３６  伸長回路
３７  温度保証回路
３８  電流電圧変換回路
【図１】
2004193900.tif 000003
【図２】
2004193900.tif 000004
【図３】
2004193900.tif 000005
【図４】
2004193900.tif 000006
【図５】
2004193900.tif 000007